(57)【特許請求の範囲】
【請求項１】
紙幣保持枠(h)の収容部(6)を画定する仕切板(7)と蓋(3)を有する紙幣収納装置(1)と、
収容室(6)に配置した押圧板(p30)と、
押圧板(p30)を仕切板(7)側に駆り立てる第1駆り立て装置(d12)と、
押圧板(p30)を仕切板(7)から離すよう駆り立て、第1駆り立て装置(d12)よりも大きな駆り立て力の第2駆り立て装置(d24)と、
蓋(3)の開閉動作に連動して第2駆り立て装置(d24)を有効或いは無効にする無効化装置(n)と、
を備える紙幣収納装置の紙幣自動押し付け装置。
【請求項２】
紙幣保持枠(h)の収容部(6)を画定する仕切板(7)、天板(8)と蓋(3)を有する紙幣収納装置(1)と、
天板(8)にスライド可能に取り付けられたスライダ(d21)と、
天板(8)に一対の支軸のうち一軸(p19)を天板(8)の伸長方向へスライド可能に支持した平行リンク機構(p10)と、
平行リンク機構(p10)により支持されて収容部(6)内に配置した押圧板(p30)と、
天板(8)と一軸(p19)とに掛け止めし、押圧板(p30)を仕切板(7)側に駆り立てる第1スプリング(d12)と、
スライダ(d21)と紙幣収納装置(1)との間に掛け止めし、スライダ(d21)を一定の方向へ駆り立てる第1スプリング(d12)よりも大きなスプリング力の第2スプリング(d24)と、
スライダ(d21)に一端を固定し、平行リンク機構(p10)に他端を固定したワイヤ(d25)と、
蓋(3)の開閉動作に連動してスライダ(d21)を天板(8)に沿ってスライドさせるレバー(n10)と、
を備える紙幣収納装置の紙幣自動押し付け装置。
【発明の詳細な説明】
【０００１】
【発明が属する技術分野】
本発明は、紙幣収納装置内の紙幣を送出装置に押し付ける押圧装置に関する。
特に、紙幣収納装置を収納部に着脱する際に自動的に押圧装置を紙幣に押し付け、或いは開放できるようにした押圧装置に関する。
なお、本明細書で使用する「紙幣」は、紙幣、小切手、証券、クーポン券、商品券等、シート状のもの全てを含んでいる。
【０００２】
【従来の技術】
小型の紙幣払出装置として、例えば特開平４−３４１４７３号に開示のものが知られている。
このものは、紙幣収納装置に収容した紙幣が運搬時に崩れないよう、押圧板がスプリングによって紙幣を仕切り板に押し付けるようになっている。
【０００３】
そして、紙幣収納装置を装置本体に装着したとき、押圧板に対するスプリング力をアクチュエータにより解除し、押圧板の重量のみで紙幣を送出装置に押し付けるようになっている。
また、紙幣収納装置を装置本体から取り外すときは、紙幣収納装置の移動を利用してスプリング力が自動的に押圧板に加わるようになっている。
【０００４】
このものは、押圧板に対するスプリング力の自動解除は、モーターなどのアクチュエータを用いている。
アクチュエータを用いる場合、電気コネクタを使用するので、接触不良による不作動を生じることがある。
また、紙幣収納装置にアクチュエータを装着するので、紙幣収納装置を小型化できない。
【０００５】
【発明が解決しようとする課題】
本発明の第１の目的は、アクチュエータを用いることなく、押圧板を自動的に紙幣に押し付け、或いは開放することを目的とする。
本発明の第２の目的は、押圧装置を小型化することである。
本発明の第３の目的は、押圧装置を安価にすることである。
【０００６】
【課題を解決するための手段】
この目的を達成するため本発明は、紙幣保持枠の収納部を画定する仕切板と蓋を有する紙幣収納装置と、収納部に配置した押圧板と、押圧板を仕切板側に駆り立てる第1駆り立て装置と、押圧板を仕切板から離すよう駆り立て、第1駆り立て装置よりも大きな駆り立て力の第2駆り立て装置と、蓋の開閉動作に連動して第2駆り立て装置を有効或いは無効にする無効化装置とにより紙幣収納装置の紙幣自動押し付け装置を構成したものである。
【０００７】
この構成において、紙幣保持枠内に紙幣を挿入した後、蓋を閉じたとき、無効化装置は蓋の閉動作に連動して第2駆り立て装置を無効にする。
この無効化によって、第1駆り立て装置が有効になって押圧板を仕切板側へ駆り立て、自動的に紙幣を押圧保持する。
この状態で紙幣収納装置を自動販売機や両替装置の本体に取り付ける。
押圧板は、紙幣払い出し時に紙幣を所定の力で送出装置に押し付け、紙幣の送り出しを助ける。
【０００８】
紙幣収納装置内の紙幣を回収或いは補充するため蓋を開くと、蓋の開動作に連動して第1駆り立て装置よりも駆り立て力が大きな第2駆り立て装置が有効になり、押圧板は第2駆り立て装置により自動的に仕切板側から離される。
これにより、押圧板に邪魔されることなく、紙幣保持枠から紙幣を回収、或いは紙幣を補充することができる。
【０００９】
本発明は、紙幣保持枠の収容部を画定する仕切板、天板と蓋を有する紙幣収納装置と、天板にスライド可能に取り付けられたスライダと、天板に一対の支軸のうち一軸を天板の伸長方向へスライド可能に支持した平行リンク機構と、平行リンク機構により支持されて収容部に配置した押圧板と、天板と一軸とに掛け止めし、押圧板を仕切板側に駆り立てる第1スプリングと、スライダと紙幣収納装置との間に掛け止めし、スライダを一定の方向へ駆り立てる第1スプリングよりも大きなスプリング力の第2スプリングと、スライダに一端を固定し、平行リンク機構に他端を固定したワイヤと、蓋の開閉動作に連動してスライダを天板に沿ってスライドさせるレバーと、により紙幣収納装置の紙幣自動押し付け装置を構成することが好ましい。
【００１０】
この構成において、紙幣保持枠に紙幣をセットした後、蓋を閉じると、蓋によってレバーが一方向へスイングされ、スライダが第2スプリングの駆り立て力に逆らって移動される。
【００１１】
これにより、平行リンク機構は規制を受けなくなるので、押圧板の重量と第2スプリングの駆り立て力によって押圧板は仕切板側へ移動され、紙幣を自動的に押圧する。
この状態で紙幣収納装置を自動販売機や両替装置の本体に取り付ける。
【００１２】
押圧板は、紙幣払い出し時に紙幣を自重及び第2スプリングの駆り立て力で送出装置に押し付け、紙幣の送り出しを助ける。
紙幣収納装置内の紙幣を回収或いは補充するため蓋を開くと、蓋の開動作に連動してレバーが蓋から駆り立て力を受けなくなるので、スライダが第2スプリングの駆り立て力により前記と逆方向へスライドされる。
【００１３】
このスライダの移動により、ワイヤが引かれるので平行リンク機構は縮運動し、押圧板は仕切板側から自動的に離される。
これにより、押圧板に邪魔されることなく、紙幣支持枠から紙幣を回収、或いは紙幣を補充することができる。
【００１４】
【発明の実施の形態】
図１は、実施例の紙幣収納装置の斜視図である。
図2は、実施例の紙幣収納装置のカバーを外し、紙幣保持枠を引き出した状態の斜視図である。
図３は、実施例の紙幣収納装置の断面図である。
図4は、実施例の紙幣収納装置のカバーを外し、蓋を閉じた状態の斜視図である。
【００１５】
本発明の紙幣押し付け装置は、例えば自動販売機や両替機の紙幣払出装置の紙幣収納装置1に内蔵される。 (図1参照)
紙幣収納装置1は、ボックス型のケース2に下端部をヒンジ結合された蓋3により開閉可能である。
【００１６】
蓋3の上部に固定したロック4により、蓋3はケース2にロックされる。
蓋3に固定した門形のハンドル5を握って紙幣収納装置1は搬送される。
紙幣収納装置1(図2参照)は、紙幣保持枠hの収容部6が、水平の仕切板7と天板8によって画定されている。
この仕切板7にはローラ9を有する紙幣送出装置10が取り付けられている。
【００１７】
次に、紙幣保持枠hを説明する。
紙幣保持枠hは側壁h10によりリング形に形成され、水平の保持板h11に取り付けられている。
保持板h11は、仕切板7に沿ってスライド可能である。
ローラ9は保持板h11の開口を通って紙幣保持枠ｈ内の紙幣に接触できる。
【００１８】
次に、紙幣押し付け装置pを説明ずる
紙幣押し付け装置pは、平行リンク機構p10と押圧板p30を含んでいる。
平行リンク機構p10は、第１ロッドp11、第２ロッドp12、第3ロッドp13と第４ロッドp14を含んでいる。
第１ロッドp11と第２ロッドp12の中間部はピンp15によりスイング可能に接続してある。
第１ロッドp11の上端は、天板8の固定軸p16にスイング可能に取り付けられている。
【００１９】
横長のガイド孔p17を形成したガイドボードp18が天板8に固定してある。
第２ロッドp12の上端のピンp19をガイド孔p17にスライド可能に挿入してある。第3ロッドp13と第４ロッドp14はピンp20によってスイング可能に一体化してある。
【００２０】
第３ロッドp13の上端は、ピンp21によって第１ロッドp11の下端にスイング可能に取り付けてある。
第４ロッドp14の上端は、ピンp22によって第２ロッドp12の下端にスイング可能に取り付けてある。
第３ロッドp13の下端は、押圧板p30の上面に固定したブラケットp23のピンp24にスイング可能に取り付けてある。
【００２１】
押圧板p30の上面に横長のガイド孔p25を有するガイドボードp26が固定してある。
第４ロッドp14の下端に固定したピンp27が、ガイド孔p25にスライド可能に挿入してある。
ピンp27に巻き付けた弦巻スプリングp28によって押圧板p30を図3において反時計方向へ駆りたて、押圧板p30が保持板h11と平行になるようにしている。
【００２２】
次に押圧板p30の第１駆り立て装置d1を説明する。
天板8の下面に固定した突起d11とピンp19とに引っ張りスプリングd12が掛けてある。
このスプリングd12が第１駆り立て装置d1である。
【００２３】
すなわち、ピンp19がガイド孔p17に沿ってスプリングd12によって図3において右方へ引かれるようになっている。
このピンp19の移動により、第２ロッドp12はピンp15を支点に時計方向へスイングされる。
【００２４】
連動して第４ロッドp14はピンp20を支点に反時計方向へスイングされ、ピンp28はガイド孔p25を右方へスライドする。
結果として、平行リンク機構p10は、伸長運動を行い、押圧板p30を下方の保持板h11側へ押し下げる。
【００２５】
次に第２駆り立て装置d20を説明する。(図2、4参照)
天板8の上側に天板8に沿ってスライド可能に断面チャンネル形のスライダd21が取り付けられる。
スライダd21から下方に突出する突起d22とケース2の突起d23とに引っ張りスプリングd24が掛けてある。
【００２６】
このスプリングd24はスライダd21の左右端部にそれぞれ配置してあるが、同一作用なので一方のみ図示してある。
このスプリングd24が第２駆り立て装置である。
スプリングd24のスプリング力は、スプリングd12よりも大きい。
【００２７】
ピンp19に近いスライダd21の下面にワイヤd25の一端がスクリュウd26によっって固定されている。
ワイヤd25は、ピンp16に係止して下方へ転向させてピンp22に係止し、第２ロッドp12のピンp15に近い位置にスクリュウp27によって固定してある。
【００２８】
この構成により、スライダd21がスプリングd24によって図3において左方へ引かれた場合、スクリュウd26とピンp16との間の経路長が増加するため、ワイヤd25はピンp22を引き上げる。
結果として、平行リンク機構p10は縮運動するので、押圧板p30は上方へ引き上げられる。
ワイヤd25は、ロープやチェーンでも良い。
【００２９】
次に無効化装置nを説明する。(図2、4参照)
ケース2にブーメラン形のレバーn10がケース2に固定したピンn11にスイング可能に取り付けてある。
このレバーn10もケース2の左右に配置されているが、機能が同一なので一方のみを説明する。
【００３０】
レバーn10上端部の長孔n12にスライダd21の側面から突出するピンn13がスライド可能に挿入してある。
レバーn10の下端部のu溝n13は、ケース2から突出するピンn14に係合し、スイングをストップされる。
このストップにより、レバーn10の下端は、ケース2の外側に突出しないように設定してある。
【００３１】
蓋3の側縁にレバーn10側に向かう突起n15が形成してある。
この突起n15は、蓋3が軸3pを支点に閉動作されたとき、レバーn10の下端n16に当接し、押し込める。
このときレバーn10は、時計方向へ回され、ピンn13を右方へスライドさせる。(図4参照)
【００３２】
ピンn13のスライドにより、スライダd21は右方へ強制的に移動される。
結果として、スクリュウd26とピンp16との間の距離が短くなるため、平行リンク機構p10は伸長運動可能になる。
したがって、押圧板p30の重量及びスプリングd12のスプリング力により押圧板d30は下降されて紙幣保持枠h内の紙幣を仕切板7(保持板h11、紙幣送出装置10)側へ押圧する。
【００３３】
次に、本実施例の作用を説明する。
蓋3が閉じられている場合、図4に示すように、下端n16は突起n15により押し込まれ、レバーn10が時計方向にスイングした位置にある。
これにより、ピンn13を介してスライダd21は右方へ移動されている。
【００３４】
結果として、スクリュウd26とピンp16間の経路長が短くなり、押圧板p30は自重とスプリングd12のスプリング力により紙幣を保持板h11及び紙幣送出装置10へ押し付けている。(図3参照)
【００３５】
次に、紙幣を収容部6に収納する際の作用を説明する。
ロック4のロックを外し、蓋3を開くと、突起n15による下端n16の押圧が開放される。
このため、スプリングd24によってスライダd21は図3の位置から左方へ移動される。
スクリュウd26が一体に同方向へ移動するので、スクリュウd26とピンp16との間の距離が大きくなり、ワイヤd25が引かれる。
【００３６】
ワイヤd25によってピンp22が引き上げられ、平行リンク機構p10が縮運動するので、押圧板p30は自動的に天板8近くまで引き上げられ、紙幣の押圧を解除する。次に保持枠hを収容部6から引き出し、保持枠h内に紙幣を補給する。
補給後、保持枠hを収容部6に押し込み、蓋3を閉じ、ロック4にてロックする。
【００３７】
蓋3の閉動作によって、突起n15が端部n16を押し込めるのでレバーn10が時計方向へスイングされる。
これに連動して、ピンn13を介してスライダd21が右方へスライドされる。
結果として、スプリングd24のスプリング力が無効にされる。
このスライドによって、スクリュウd26とピンp16の間の経路長が短くなり、平行リンク機構p10は伸長運動が可能になるので、押圧板p30は自重とスプリングd12のスプリング力により下降し、自動的に紙幣の押圧を行う。
【００３８】
なお、説明中に使用した「水平」、「垂直」等の用語は理解を助けるために使用したので、本発明はこれらの用語に限定されない。
第１駆り立て装置は、押圧板の重量のみでも可能である。
【００３９】
【図面の簡単な説明】
【図１】図１は、実施例の紙幣収納装置の斜視図である。
【図２】図2は、実施例の紙幣収納装置から紙幣保持枠を引き出した状態の斜視図である。
【図３】図３は、実施例の紙幣収納装置の断面図である。
【図４】図4は、実施例の紙幣収納装置カバーを外して蓋を閉じた状態の斜視図である。
【符号の説明】
1            紙幣収納装置
3            蓋
6             収容部
7            仕切板
8            天板
d1            第1駆り立て装置
d20          第2駆り立て装置
d21          スライダ
d25          ワイヤ
h            紙幣保持枠
n            無効化装置
n10          レバー
p19          一軸
p10          平行リンク機構
p30          押圧板
【図１】
0003932311.tif 000002
【図２】
0003932311.tif 000003
【図３】
0003932311.tif 000004
【図４】
0003932311.tif 000005